(57)【要約】【課題】箱本体の開口部に開閉自在に設けられた上蓋の係止が確実に行えるダンボール箱を提供する。【解決手段】横方向に連設された４枚の側板２ａ〜２ｄの両端を接着することにより形成され、かつ枠状に組み立て及び折り畳みが自在な箱本体１と、箱本体の底面を覆う底板５と、箱本体の上面開口部１ａを開閉自在に覆う中フラップ４ａ，４ｂと、中フラップの上から箱本体の上面開口部を開閉自在に覆う第１上蓋３ａ及び第２上蓋３ｂからなる上蓋３と、第１上蓋側に形成されたスリット６と、第２上蓋の開放端部に連設され、かつスリットに挿入自在な係止片７と、係止片の両端部に折り線７ｂを介して設けられ、かつ折り線より折り曲げた状態で係止片をスリットに挿入後起立して、第１上蓋の内側に係止される係止舌片７ａとから構成されたもので、上蓋の係止が確実に行えるため、箱本体の保管中や輸送中に上蓋が不用意に開放することがない。【選択図】図２
0003127804.tif 000002
【実用新案登録請求の範囲】
【請求項１】
横方向に連設された４枚の側板の両端を接着することにより形成され、かつ枠状に組み立て及び折り畳みが自在な箱本体と、前記箱本体の底面を覆う底板と、前記箱本体の上面開口部を開閉自在に覆う中フラップと、前記中フラップの上から前記箱本体の上面開口部を開閉自在に覆う第１上蓋及び第２上蓋からなる上蓋と、前記第１上蓋側に形成されたスリットと、前記第２上蓋の開放端部に連設され、かつ前記スリットに挿入自在な係止片と、前記係止片の両端部に折り線を介して設けられ、かつ折り線より折り曲げた状態で前記係止片を前記スリットに挿入後起立して、前記第１上蓋の内側に係止される係止舌片とを具備したことを特徴とするダンボール箱。
【請求項２】
前記スリットを、前記係止片に前記両係止舌片を加えた長さとほぼ同じ長さの線状スリットと、前記係止片の長さとほぼ同じ長さの幅広スリットとから形成してなる請求項１に記載のダンボール箱。
【考案の詳細な説明】
【技術分野】
【０００１】
本考案は、上蓋の係止が確実に行えるダンボール箱に関する。
【背景技術】
【０００２】
板状のダンボールを折り曲げることにより製作されたダンボール箱は、強度がある上軽量なことから、例えば飲料や化粧品等を収容した容器を運搬する際に使用する梱包容器や通函として広く使用されている。
これらダンボール箱には、収容する内容物により種々の形状のものがあり、その多くは運搬する際内部で容器等がガタつかないように、収容する容器等の大きさや数量に適した形状となっており、その種類も多様である。
例えば特許文献１に記載されたダンボール箱は、上面と側面の一部が開口された箱本体の側面側開口部に可動側壁が設けられていて、可動側壁の解放端に舌片が突設されている。
また側壁及び底部に連続して形成された折込片の折り曲げ位置にはスリットが形成されていて、これらスリットに舌片を差し込み係合させることにより、箱本体が組み立てられており、可動壁を開くことによって箱本体内に収容された製品が容易に取り出せるように構成されている。
【０００３】
一方箱本体の上面開口を覆う上蓋を閉鎖した際、上蓋が不用意に開放しないよう上蓋を係止する係止片を設けたダンボール箱も公知である。
このダンボール箱は例えば図９に示すように、箱本体ａの上面開口を覆う２枚の上蓋ｂ及び上蓋ｃとを有していて、一方の上蓋ｂの開放端部に係止片ｄを差し込むスリットｅが形成されている。
係止片ｄの両端部には、スリットｅの両端部に係合する係合部ｆの他に、係止片ｄの折り曲げ線ｇ上にスリットｈが形成されていて、このスリットｈに、他方の上蓋ｃのスリットｅ部分に突設された舌片ｉが嵌合するようになっており、これによってスリットｅに差し込んだ係止片ｄがスリットｅより抜け外れるのを防止している。
【特許文献１】特開平１０−８６９２９号公報
【考案の開示】
【考案が解決しようとする課題】
【０００４】
しかし前記特許文献１に記載のダンボール箱では、可動壁を側壁や底部のスリットに差し込む舌片に係止部が形成されていないことから、ダンボール箱の荷役中や運搬中に可動壁が不用意に開放し、内容物が脱落しやすい問題がある。
一方図９に示すダンボール箱では、係止片ｄの折り曲げ線ｇ上にスリットｈを形成したり、他方の上蓋ｃのスリットｅに舌片ｉを形成した複雑な形状のため、ダンボール板を切断する切断手段の刃の形状が複雑になる問題がある。
またスリットｅへ係止片ｄを差し込んだ後、舌片ｉを係止片ｄ側のスリットｈに差し込む作業が必要となるが、スリットｅに差し込んだ係止片ｄと舌片ｉとがほぼ同一平面となるため、舌片ｉをスリットｈに差し込むのに手間がかかる問題もある。
本考案はかかる問題を改善するためになされたもので、箱本体の開口部に開閉自在に設けられた上蓋の係止が確実に行えるダンボール箱を提供することを目的とするものである。
【課題を解決するための手段】
【０００５】
本考案のダンボール箱は、横方向に連設された４枚の側板の両端を接着することにより形成され、かつ枠状に組み立て及び折り畳みが自在な箱本体と、箱本体の底面を覆う底板と、箱本体の上面開口部を開閉自在に覆う中フラップと、中フラップの上から箱本体の上面開口部を開閉自在に覆う第１上蓋及び第２上蓋からなる上蓋と、第１上蓋側に形成されたスリットと、第２上蓋の開放端部に連設され、かつスリットに挿入自在な係止片と、係止片の両端部に折り線を介して設けられ、かつ折り線より折り曲げた状態で係止片をスリットに挿入後起立して、第１上蓋の内側に係止される係止舌片とから構成したものである。
【０００６】
前記構成により、係止片の両端部に形成された係止舌片が第１上蓋の内側に係止されることにより上蓋の係止が確実に行えるため、箱本体の保管中や輸送中に上蓋が不用意に開放することがなく、これによって箱本体内に収容された容器等の内容物が脱落したり、外部より異物が箱本体内に混入するのを確実に防止することができる。
また係止舌部により第１上蓋の内側に係止された第２上蓋は、外部から簡単に開放できないため、故意に箱本体内に異物を混入する等の不正行為を未然に防止でき、これによって箱本体の輸送中や保管中の安全性が高いと共に、第２上蓋を係止する係止片の両端に折り線を介して係止舌片を設けるだけでよいため、容易かつ安価に実施することができる。
【０００７】
本考案のダンボール箱は、スリットを、係止片に両係止舌片を加えた長さとほぼ同じ長さの線状スリットと、係止片の長さとほぼ同じ長さの幅広スリットとから形成したものである。
【０００８】
前記構成により、上蓋により箱本体の上面開口部を閉鎖する際、折り線より折り曲げた係止舌片により係止片の厚みが増加しても、係止片の挿入作業が容易に行える。
【考案の効果】
【０００９】
本考案のダンボール箱によれば、係止片の両端部に形成された係止舌片が第１上蓋の内側に係止されることにより上蓋の係止が確実に行えるため、箱本体の保管中や輸送中に上蓋が不用意に開放することがなく、これによって箱本体内に収容された容器等の内容物が脱落したり、外部より異物が箱本体内に混入するのを確実に防止することができると共に、第２上蓋を係止する係止片の両端に折り線を介して係止舌片を設けるだけでよいため、容易かつ安価に実施することができる。
【考案を実施するための最良の形態】
【００１０】
本考案の実施の形態を、図面を参照して詳述する。
図１はダンボール箱の展開図、図２は中フラップ及び上蓋を開放した状態の斜視図、図３は中フラップを閉鎖した状態の斜視図、図４は第１上蓋を閉鎖した状態の斜視図、図５は第２上蓋を閉鎖する状態の斜視図、図６は第２上蓋を閉鎖した状態の斜視図、図７は図６のＡ円内の拡大平面図、図８は図７のＢ−Ｂ線に沿う断面図である。
ダンボール箱を構成する箱本体１は、図１に示すように横方向に連設された４枚の側板２より形成されている。
４枚の側板２のうち、互に対向する２枚の側板２ａ、２ｃは、横方向に細長い長方形状に、そして他の２枚の２ｂ、２ｄは側板２ａ、２ｃより横幅が短い長方形状に形成されていて、側板２ａ、側板２ｂ、側板２ｃ、側板２ｄの順で山折り線２ｅ、２ｆ、２ｇを介して横方向に連設されており、側板２ａの縦辺にのり代２ｉが山折り線２ｈ介して連設されている。
【００１１】
各側板２ａ〜２ｄのうち、側板２ａと２ｃの上辺には山折り線３ｃ、３ｄを介して上蓋３が連設され、側板２ｃと２ｄは中フラップ４ａ，４ｂが連設され、側板２ａ〜２ｄの底辺には、底板５が連設されている。
側板２ａと２ｃの上辺に連設された上蓋３は、第１上蓋３ａと第２上蓋３ａとからなり、側板２ａ〜２ｄと箱状に折り曲げ、のり代２ｉを側板２ｄの縦辺に沿って接着することにより形成された箱本体１の上面開口部１ａのほぼ３分の２を覆える大きさに縦幅Ｗ１が形成されている。
そして箱本体１の開口部１ａを閉鎖した際、開口１ａの中心線Ｏに位置する部分に中心線Ｏに沿ってスリット６が形成されている。
スリット６は、第２上蓋３ｂの開放端部に突設された係止片７の長さＬ１よりやや長く形成された線状スリット部６ｂと、この線状スリット部６ｂよりやや短く形成された幅広スリット部６ａとから形成されていて、幅広スリット６ａの長さＬ２は、係止片７の両端部に形成された係止部７ａを折り線７ｂより折り曲げた際の長さＬ１よりやや大きくなっている。
【００１２】
第２上蓋３ｂは、箱本体１の開口部１ａを閉鎖する第１上蓋３ａの上側に重なるようにして開口部１ａを閉鎖するもので、縦幅Ｗ２は、開口部１ａの中心線Ｏと開放端部がほぼ一致するようになっている。
第２上蓋３ｂの開放端部に突設された係止片７の両端部には、上縁が端部側へ低く傾斜する傾斜面となった係止舌片７ａが形成されており、係止舌片ａの底辺と第２上蓋３ｂの開放端縁の間には、箱本体１を形成するダンボール板の板厚よりやや幅の広いスリット７ｃが第２上蓋３ｂと係止片７の間に設けられた山折り線７ｄに沿って形成されている。
そして係止舌片７ａの傾斜面の最頂部とスリット７ｂの端部間に、係止舌片７ａを折り曲げる折り線７ｂが形成されている。
また箱本体１を形成する側板２ａ〜２ｄのうち、側板２ｂ、２ｄの上辺に連設された中フラップ４は、側板２ｂ、２ｄの横幅よりやや小さい横幅に形成されていて、縦幅は、第１上蓋３ａの縦幅Ｗ１とほぼ同一となっており、開放端部側の角部が小Ｒに形成されていると共に、中フラップ４ａ，４ｂと側板２ｂ，２ｄの連設部に山折り線４ｃ，４ｄが設けられている。
【００１３】
一方箱本体１を形成する側板２ａ〜２ｄの底辺に連設された底板５は、図１に示すように側板２ａ，２ｃの底辺に連設された底板５ａ，５ｃと、側板２ｂ，２ｄの底辺に連設された底板５ｂ、５ｄとからなる。
底板５ａ，５ｃはほぼ同一形状となっていて、第１上蓋２ａの縦幅Ｗ１とほぼ同じ縦幅Ｗ３を有している。
底板５ａ，５ｃ両端縁は、順次底辺側へ幅狭となるように傾斜されており、両端縁の一方にのり代５ｅがほぼ３角形状に形成されている（図１の斜線で示す部分）。
各底板５ａ，５ｃの底辺中央には、ほぼ山形の切り込み５ｆが形成されていて、切り込み５ｆの頂部に形成された直線部５ｇが底板５を組み立てた際互に係合するようになっており、側板２ａ，２ｃと底板５ａ，５ｃの連設部には、山折り線５ｈ，５ｉが設けられている。
【００１４】
また側板２ｂ，２ｄの底辺に山折り線５ｊ，５ｋを介して連設された底板５ｂ，５ｄは、縦幅Ｗ４が底板５ａ，５ｃの縦幅Ｗ３よりやや小さくなっており、一方の端縁は緩い角度で、そして他方の端縁は急な角度で傾斜されており、緩い角度の傾斜辺と底辺の接合部は小Ｒに形成されている。
なお図１の破断部Ｃは、箱本体１を形成するダンボール板の目方向を示している。すなわちダンボール板の目方向は側板２や上蓋３、底板５の縦方向となっている。
【００１５】
次に前記構成されたダンボール箱の組み立て手順を図２ないし図６を参照して説明する。
ダンボール板を図１に示す展開形状に裁断した後箱本体１を組み立てるに当たって、まず側板２ａに連設されたのり代２ｉを、山折り線２ｈより山折りして側板２ｄの縦辺に沿って接着し、また底板５ａののり代５ｅを底板５ｂに、そして底板５ｃののり代５ｅを底板５ｄに接着する。
これによって側板２は上下面が開口した枠状に、そして底板５は、谷折り線５ｍ、５ｎより折り曲げられて枠内に収容された状態となり、この状態で枠を平坦に折り畳むことにより箱本体１が平板状となるので、多数の箱本体１を保管したり輸送する際に嵩ばることがないため、保管や輸送に便利である。
【００１６】
次に箱本体１内に飲料や化粧品等の容器（図示せず）等を複数本収容して保管したり、輸送する場合には、折り畳んだ状態の箱本体１を、側板２が枠状となるように各山折り線２ｅ，２ｆ，２ｇから山折りする。
これによって予め接着されている底板５が箱本体１の底面開口部を塞ぐように折り起され、またこのとき底板５ａ，５ｃに形成された切り込み部５ｆの直線部５ｇが互いに係合するため、箱本体１内に収容した容器等の重量が底板５にかかっても、底が抜けることがない。
図２に示す状態で箱本体１に所定の容器等を収容したら、まず中フラップ４ａ、４ｂを山折り線４ｃ，４ｄより折り曲げて、箱本体１の上面開口部１ａを図３に示すように閉鎖する。
【００１７】
続けて図４に示すように上蓋３の一方、すなわち第１上蓋３ａを閉鎖したら、図５に示すように第２上蓋３ｂも閉鎖するが、このとき係止片７の両端に形成された係止舌片７ａを折り線７ｂより内側へ折り曲げ、また係止片７も山折り線７ｄより山折りする。
そしてこの状態で第２上蓋３ｂの係止片７を、第１上蓋３ａに形成されたスリット６の幅広スリット６ａへ挿入するが、折り線７ｄより折り曲げた係止舌片７ａにより係止片７の厚みが増加しても、係止片７の挿入作業が容易に行える。
これによって係止片７の先端は、図８に示すように中フラップ４ａ，４ｂと第１上蓋３ａの間に差し込まれた状態となると共に、幅広スリット６ａ挿入後、自己の弾性により係止舌片７ａが図７に示すように元も位置へ起立するので、係止舌片７ａの底辺が線状スリット６ｂの両端部内側へと係合されて、幅広スリット６ａより抜け外れないように係止される。
【００１８】
図６は上蓋３により箱本体１の上面開口部１ａが閉鎖された状態を示すもので、係止片７の両端部に形成された係止舌片７ａが第１上蓋３ａの内側に係止された状態になるので、箱本体１の保管中や、輸送中に上蓋３が不用意に開放することがなく、これによって箱本体１内に収容された容器等の内容物が脱落してり、外部より異物が箱本体内に混入するのを確実に防止することができる。
また係止舌部７ａにより第１上蓋３ａの内側に係止された第２上蓋３ｂは、外部から簡単に開放できないため、故意に箱本体１内に異物を混入する等の不正行為を未然に防止でき、これによって箱本体の輸送中や保管中の安全性が高い
【００１９】
一方箱本体１より内容物を取り出すため上蓋３を開放する場合は、第２上蓋３ｂを上方へ強く引く。
これによっていままで第１上蓋３ａの内側に係止されていた係止舌片７ａを線状スリット６ｂより強制的に抜き出すことができるため、上蓋３及び中フラップ４ａ，４ｂを開放することができ、これによって内容物の取り出し作業が行えるようになる。
なおダンボール箱の形状は図面に示す形状のものに限定されることはなく、種々の形状のダンボール箱に適用できることは勿論である。
【図面の簡単な説明】
【００２０】
【図１】本考案の実施の形態になるダンボール箱の一部を切欠した展開図である。
【図２】本考案の実施の形態になるダンボール箱の上蓋及び中フラップを開放した状態の斜視図である。
【図３】本考案の実施の形態になるダンボール箱の中フラップを閉鎖した状態の斜視図である。
【図４】本考案の実施の形態になるダンボール箱の中フラップ及び第１上蓋を閉鎖した状態の斜視図である。
【図５】本考案の実施の形態になるダンボール箱の第２上蓋に設けた係止片を差し込む状態を示す斜視図である。
【図６】本考案の実施の形態になるダンボール箱の上蓋を閉鎖した状態の斜視図である。
【図７】図６のＡ円内の拡大平面図である。
【図８】図７のＢ−Ｂ線に沿う断面図である。
【図９】従来のダンボール箱を示す斜視図である。
【符号の説明】
【００２１】
１    箱本体
１ａ    開口部
２ａ〜２ｄ    側板
４ａ，４ｂ    中フラップ
５    底板
６      スリット
６ａ    線状スリット
６ｂ    幅広スリット
７    係止片
７ａ    係止舌片
７ｂ    折り線
【図１】
0003127804.tif 000003
【図２】
0003127804.tif 000004
【図３】
0003127804.tif 000005
【図４】
0003127804.tif 000006
【図５】
0003127804.tif 000007
【図６】
0003127804.tif 000008
【図７】
0003127804.tif 000009
【図８】
0003127804.tif 000010
【図９】
0003127804.tif 000011